(57)【特許請求の範囲】
【請求項１】
シャンク部が前記シャンク部の長さ方向の軸を規定する方向に延伸し、
切削ヘッドが前記シャンク部の長さ方向の端部に配置され、
前記切削ヘッドは、上面（１）と、底面（２）と、前記上面と底面との間に延在するそれぞれ二つの側部逃げ面（１１、１２）と、前記側部逃げ面との間に配置され且つ前記上面と底面との間に延在する前部逃げ面（７）とを含み、
前記上面と前部逃げ面との間の交差が、長さ方向の軸に垂直に延在する主切れ刃（８）を形成し、
前記主切れ刃が前記上面に垂直な方向から見て真直ぐであり、
前記上面と各側部逃げ面との間の交差が、所定の逃げ角を有する側部切れ刃（８ｂ）を規定する前記シャンク部と前記切削ヘッドとを含む金属切削インサートであって、
前記上面は、長さ方向の軸に対して互いに向かい合う側部の前記上面上に長さ方向に延在する一対のリッジ（２０、２１）を含み、且つ互いのリッジの間に切り屑を形成する凹み（１４）を規定するためそれぞれのリッジが互いに離間し、且つ
前記金属切削インサートは、前記主切刃のそれぞれの端部に配置されるコーナー切れ刃を含み、各コーナー切れ刃が前記側部切れ刃のそれぞれと前記主切れ刃との間に延在する、前記シャンク部と前記切削ヘッドとを含む金属切削インサートおいて、
各コーナー切れ刃は、前記主切れ刃から延在する曲率半径（Ｒ１）の一次湾曲切れ刃（１５）を含み、且つ
曲率半径（Ｒ２）の湾曲ワイパー切れ刃（１６）は、前記一次湾曲切れ刃から前記側部切れ刃まで延在し、前記１次湾曲切れ刃は、前記湾曲ワイパー切れ刃の曲率半径より小さい曲率半径を有し、且つ
前記側部切刃は、前記湾曲ワイパー切れ刃の曲率半径（Ｒ２）より小さな曲率半径（Ｒ３）を有する金属切削インサート。
【請求項２】
前記側部切れ刃（８ｂ）が、前記シャンク部の長さ方向の軸に対して１〜５°の範囲の逃げ角を形成する請求項１記載の切削インサート。
【請求項３】
前記一次湾曲切れ刃（１５）の曲率半径（Ｒ１）が、０．１〜１２．０ｍｍの範囲内にある請求項１または２記載の切削インサート。
【請求項４】
前記ワイパー切れ刃（１６）の曲率半径（Ｒ２）が、２．５〜２０．０ｍｍの範囲内にある請求項１または２記載の切削インサート。
【請求項５】
前記側部切れ刃（８ｂ）の曲率半径（Ｒ３）が、０．１〜２．０ｍｍの範囲内にある請求項１または２記載の切削インサート。
【請求項６】
前記一次湾曲切れ刃（１５）の曲率半径（Ｒ１）が、０．２〜２．０ｍｍの範囲内にある請求項１または２記載の切削インサート。
【請求項７】
前記ワイパー切れ刃（１６）の曲率半径（Ｒ２）が、２．５〜５．０ｍｍの範囲内にある請求項４記載の切削インサート。
【請求項８】
前記側部切れ刃（８ｂ）の曲率半径（Ｒ３）が、０．２〜０．５ｍｍの範囲内にある請求項１または２記載の切削インサート。
【発明の詳細な説明】
【０００１】
発明の技術分野
本発明は溝加工作業用の切削インサートに関する。特に本発明に従う切削インサートは、軸方向の溝加工、及び突っ切り加工作業、並びに軸長さ方向及び半径長さ方向の旋削作業に用いることができるが、さらに半径方向の溝加工用に適している。
【０００２】
このような機械作業の最中に、支障のない加工をするために、切り屑の破断及び切り屑の形成が非常に重要に成ってくる。最近の高生産性の機械は、切り屑の良好な移動に関して非常に高い要求をしている。長くて制御することが不可能な切り屑は、容易に加工の中断及び停止の原因と成りうる。従って、切り屑の制御が、最優先事項であり且つ工具のデザインによって非常に左右される。溝きり加工作業及び突っ切り加工を意図した切削工具は一般的にホルダーに締結され、且つこのホルダーは、機械加工したスロットのなかで使いやすくするために、ブレード状をしている。ブレード型のホルダーとは、スロットミルを含むものである。このような切削インサートは、たとえば米国特許第４，７７８，３１１号、米国特許第４，９９２，００８号、米国特許第５，１３５，３３６号及び米国特許第５，４２３，６３９号に示される。同時に、可能ならば、ロット内の表面を欠陥のない表面仕上げにすることが今日要求されている。第１の目的は、加工物に加工されたスロット内の表面を欠陥のない適切な表面にできる切削インサートを製造することである。
【０００３】
本発明の第２の目的は、繰り返して半径方向の溝きり加工をするのに十分に適合する切削インサートを提供することである。
第３の目的は、高送りと良好な切り屑制御とを組み合わせた良好な表面粗さを達成できる切削インサートを製造することである。
本発明の第３の目的は、特に、幅広のスロットの底表面において、長さ方向の旋削加工用に使用できる切削インサートを提供することである。
【０００４】
本発明の概要
上記目的及びさらに別の目的は、シャンク部と切削ヘッドとを備える金属切削インサートによって達成された。シャンク部は長さ方向の軸を規定し、且つ切削ヘッドはシャンク部の長さ方向の端部に配置される。切削ヘッドは、上面と、底面と、上面と底面との間に延在するそれぞれ二つの側部逃げ面と、側部逃げ面との間に配置され且つ上面と底面との間に延在する前部逃げ面とを含む。上面と前部逃げ面との間の交差が、長さ方向の軸に一般的に垂直に延在する主切れ刃を形成する。上面と各側部逃げ面との間の交差が、所定の逃げ角を有する側部切れ刃を規定する。上面は、長さ方向の軸の互いに向かい合う側部上に長さ方向に延在する一対のリッジを含み、且つ互いのリッジの間に切り屑を形成する凹みを規定するためそれぞれのリッジが互いに離間する。さらに、切削インサートは、一方の側部切れ刃と主切れ刃とのそれぞれの間にコーナー切れ刃を含む。
【０００５】
各コーナー切れ刃は主切れ刃から延在する一次湾曲切れ刃を含み、且つ湾曲ワイパー切れ刃は一次湾曲切れ刃から側部切れ刃まで延在する。１次湾曲切れ刃は湾曲ワイパー切れ刃の曲率より小さな半径を有する。
本発明の好ましい実施態様を、添付した図面を参照してさらに詳細に示すが、この態様は説明するためのものであって限定することを目的としない。
【０００６】
発明の好ましい実施態様の詳細な説明
図１〜３に示す本発明に従う溝切り加工用の切削インサートは、平行６面体形状のボディーを有する。この６面体は。上面１と、底面２と、前方端面３と、後方端面４と、並びに互いの面とが平行する側部５、６とを備える。この切削インサートは被覆超硬合金、或いは非被覆超硬合金から製造され、このインサートの上面１と底面２とは、長さ方向に凹んだＶ字状のキー溝１ａ及び１ｂをそれぞれが備えた形状である。代わりの切削インサートは図２のｂに従う実施態様のようにすることができ、この実施態様においては、中央の凹んだ溝２ａの各側部の底支持面２ａ、２ｂは、傾いており、且つスウェーデン特許第９７０３４３４−２号に記載され具体化された方法でブレードホルダーの対応傾斜支持面に対して支持される。切削インサートの中央部分は、長さ方向の軸を規定するシャンク部である。切削ヘッドはシャンク部の長さ方向端部のそれぞれに形成される。各切削ヘッドは前部逃げ面７から成る端部面を有し、逃げ面と上面１との交差が横断切れ刃８ａを形成し、横断切れ刃はコーナー１５、１６を介して側部切れ刃８ｂまで延在する。逃げ面７は、横断分離線９を経由して下側前部面１０と交差し、この面は底面２に対して垂直に延在する。それぞれの切削ヘッドは、長さ方向の軸に対して外側側部に配置する二つの逃げ面１１、１２を備え、且つ分離線１３を介して側部面５のそれぞれに合流する。
【０００７】
切れ刃８に隣り合って配置される上面は切り屑面であり、この切り屑面は切れ刃８から内側に向かって延在し且つ凹みの形で切り屑フォーマを形成し、この凹みは切れ刃と交差しそして二つの別々のリッジ２０、２１のあいだを通過する。このように、切れ刃８は上面１に対して凹部となって切り屑角を形成し、この角は切削インサートの切れ刃に沿って変化し、この切り屑角は主切れ刃の端部８ｃ及び８ｄよりも中央部分８ａでさらにポジ角となる。すなわち、逃げ面７と切り屑フォーマの中央凹み１４ａとの間に形成される切り屑角は、逃げ面７とリッジ２０、２１との間に形成される切り屑角より小さくなる。
【０００８】
内側側面１４ｂ及び１４ｃは、切り屑ファーマ１４の側面を規定し、それらの間で角度αをなし、中央軸方向に延在する切り屑フォーマの凹み１４ａをまたがって存在し、切り屑の凹みは上面１に沿って軸方向に延在する。先ずこの凹み１４ａの深さは切れ刃から増加して、この切れ刃８から所定の距離で減少しはじめる。この角度は、軸方向に、切れ刃８から離れる方向には、均一に延在する。同時に、リッジ２０及び２１の斜めにした向きに傾斜する内側側面１４ｂ及び１４ｃは、切れ刃近くの広い面積から、切れ刃８の上方に存在する上昇部分１４ｄ及び１４ｅの高さで最小面積に減少する幅を有するように設計する。
【０００９】
内側側面１４ｂ、１４ｃの幅は、部分１４ｄ及び１４ｅを通過後に後方に実質的に変わらずに残留する。この側面１４ｂ及び１４ｃは、後方の凹形状の端部１４ｆへと集中する部分を有する。
図４及び図５に、図１〜図３に従う切削インサートを加工物Ａと噛み合わせて示す。
【００１０】
このインサートの上面１の各コーナー部分は、異なる凸形状の曲率半径をしている。すなわち、各コーナーは１次湾曲刃１５を含み、この湾曲刃は主切れ刃の隣接端部８ｃ、並びに２次切れ刃１６すなわち「ワイパー切れ刃」に向かって延在する。切削インサートを強化するために、このワイパー切れ刃１６は１次面取り部を備えることができる。図５に示すように、このワイパー切れ刃１６は、半径Ｒ２でもって形成され、この半径は主切れ刃１５の半径より実質的に大きくてそれによって、この切れ刃１６は図１においてはほとんど真っ直ぐに見られる。ワイパー切れ刃１６は後方に向かって側部切れ刃８ｂまで延在し、このワイパー切れ刃の半径Ｒ３はＲ２より実質的に小さい。湾曲刃８ｂは後方に向かって約１〜５°好ましくは２〜３°の側部逃げ角で延在する。
【００１１】
このワイパー切れ刃１６の半径Ｒ２は、切れ刃１６が丸形インサートのように作用するように選ばれる。結果として、このワイパー切れ刃は、仮想的な円形丸形インサートの断面に類似すると考えられる。丸形インサートと比較した本発明のインサートの実質的な利点は、同一操作条件のもとで丸形インサートと比較してかなり狭くて厚い切り屑を作り出すことができることであり、これが良好な切り屑制御を提供する。半径Ｒ２はＲ１よりかなり大きくて、好適な「ワイパー切れ刃」の効果は、かなりの改良表面仕上げを与えることが達成されることである。その上の効果としては、その後の仕上げ作業を省略することができる。
【００１２】
最適な切り屑制御を達成するために、異なる半径の種々の湾曲切れ刃は、次の範囲から選ぶ必要がある。
Ｒ１：０．１〜１２ｍｍ、好ましくは０．２〜２．０
Ｒ２：２．５〜２０ｍｍ、好ましくは２．５〜５．０
Ｒ３：０．１〜２ｍｍ、好ましくは０．２〜０．５
本発明はこれらの好ましい実施態様に従って記載されたとはいえ、特に記載されていない追加、削除、改良、及び置換が、添付した請求の範囲で規定した範囲から離脱することなく、できることは当業者には明確なことである。
【図面の簡単な説明】
【図１】  図１は、本発明の切削インサートを上方から斜めにみたときの斜視図を示す。
【図２】  図２のａは、図１と同様の切削インサートをその前部端部から真っ直ぐにみた図であり，且つ図２のｂは、代わりの切削インサートの実施態様を示す。
【図３】  図３は、図１と同様の切削インサートを上方から図である。
【図４】  図４は、加工物とともに拡大し、図１と同様の切削インサートを上方から真っ直ぐにみた図である。
【図５】  図５は、図４の示される切削インサートの切削コーナーを拡大した詳細図である。
【図１】
0003803549.tif 000002
【図２ａ】
0003803549.tif 000003
【図２ｂ】
0003803549.tif 000004
【図３】
0003803549.tif 000005
【図４】
0003803549.tif 000006
【図５】
0003803549.tif 000007